(57)【要約】      （修正有）【課題】一般家庭に備えられた装置であるマイクロ波発生装置（電子レンジ）と水を利用して比較的低温で加熱することで、接着剤等を使用せずに製作者の好みに応じた芳香およびデザインを備えた装飾品を製作することが可能な装飾品製作玩具およびその装飾品製作玩具から製作された装飾品を提供する。【解決手段】装飾品製作玩具は、熱溶融性樹脂材からなる粒状の芳香担持体２と、芳香担持体２を充填する型体３と、芳香担持体２を型体３に充填した後に加熱して熱溶着する製作方法が記載または図示された説明書５と、がパッケージ６に封入されている。【選択図】図１
0003211065.tif 000002
【実用新案登録請求の範囲】
【請求項１】
熱溶融性樹脂材からなる粒状の芳香担持体と、該芳香担持体を充填する型体と、前記芳香担持体を前記型体に充填した後に加熱して前記芳香担持体同士を熱溶着する製作方法が記載または図示された説明書と、がパッケージに封入されていることを特徴とする装飾品製作玩具。
【請求項２】
熱溶融性樹脂材からなる粒状の芳香担持体と、該芳香担持体を充填する型体と、がパッケージに封入されてなり、前記パッケージは、前記パッケージの表面側に前記芳香担持体を前記型体に充填した後に加熱して前記芳香担持体同士を熱溶着する製作方法が記載または図示された説明書が一体的に形成されていることを特徴とする装飾品製作玩具。
【請求項３】
芳香又は色味の少なくとも一方の異なる芳香担持体を複数パッケージに封入されていることを特徴とする請求項１又は２のいずれか一項に記載の装飾品製作玩具。
【請求項４】
型体は、シリコン樹脂を主体とした素材からなり、芳香担持体を充填する凹状の充填部と、充填された芳香担持体の外形形状を形成する枠部と、を有することを特徴とする請求項１又は２のいずれか一項に記載の装飾品製作玩具。
【請求項５】
熱溶融性樹脂材からなる粒状の芳香担持体と、該芳香担持体を充填する型体と、からなる装飾品製作玩具によって製作される装飾品であって、前記型体に前記芳香担持体および水を充填し、マイクロ波発生装置により前記水を加熱することで前記芳香担持体の表面を熱溶融し、前記芳香担持体同士を熱溶着してなることを特徴とする装飾品。
【考案の詳細な説明】
【技術分野】
【０００１】
本考案は、製作者の好みに応じた芳香とデザインを備えた装飾品を製作するための装飾品製作玩具およびその装飾品製作玩具から製作される装飾品に関する。           
【背景技術】
【０００２】
従来、アクセサリーやキーホルダー等の装飾品を、製作者の好みに応じて製作することができ、また、その製作工程を経ることで楽しみを得ることが可能な種々の芳香を備えた玩具や製作キットが提案されている。
【０００３】
例えば、特許文献１記載の考案は、香り玉１を容器２に封入し、容器２に吊り下げ手段を有する香り玩具Aである。また、特許文献２記載の考案は、木製ビーズ１２等の芳香担体１４に芳香液１５を含浸させたものを組み合わせることでビーズ装飾品１１を製作するビーズ装飾品製作キット１０である。
【先行技術文献】
【特許文献】
【０００４】
【特許文献１】登録実用新案第３０４６２２０号公報
【特許文献２】登録実用新案第３１２５６８２号公報
【考案の概要】
【考案が解決しようとする課題】
【０００５】
しかしながら、上記特許文献１に記載された考案において、装飾品としてのデザインは、容器の形状が大部分を占めるため、製作者の好みに応じたデザインを備えた装飾品とすることが困難であった。また、上記特許文献２に記載された考案において、製作者の好みに応じて装飾品のデザインを製作するためには、紐等にビーズを取り付けるのに非常に手間が掛かる上、より複雑な立体形状のデザインにするために接着剤等を塗布する必要があり、接着剤等の臭いによって装飾品自体の芳香を阻害する恐れがあった。
【０００６】
本考案は、一般家庭に備えられた装置であるマイクロ波発生装置（電子レンジ）と水を利用して比較的低温で加熱することで、接着剤等を使用せずに製作者の好みに応じた芳香およびデザインを備えた装飾品を製作することが可能な装飾品製作玩具およびその装飾品製作玩具からなる装飾品を提供することを目的とする。
【課題を解決するための手段】
【０００７】
上記課題に鑑み、本考案は、熱溶融性樹脂材からなる粒状の芳香担持体と、該芳香担持体を充填する型体と、前記芳香担持体を前記型体に充填した後に加熱して前記芳香担持体同士を熱溶着する製作方法が記載または図示された説明書と、がパッケージに封入されていることを特徴とする装飾品製作玩具である。
【０００８】
また、本考案は、熱溶融性樹脂材からなる粒状の芳香担持体と、該芳香担持体を充填する型体と、がパッケージに封入されてなり、前記パッケージは、前記パッケージの表面側に前記芳香担持体を前記型体に充填した後に加熱して前記芳香担持体同士を熱溶着する製作方法が記載または図示された説明書が一体的に形成されていることを特徴とする装飾品製作玩具である。
【０００９】
また、上述した構成に加え、芳香又は色味の少なくとも一方の異なる複数の芳香担持体がパッケージに封入されていることを特徴とするものである。
【００１０】
また、上述した構成に加え、型体は、シリコン樹脂を主体とした素材からなり、芳香担持体を充填する凹状の充填部と、充填された芳香担持体の外形形状を形成する枠部と、を有することを特徴とするものである。
【００１１】
また、本考案は、熱溶融性樹脂材からなる粒状の芳香担持体と、該芳香担持体を充填する型体と、からなる装飾品製作玩具によって製作される装飾品であって、前記型体に前記芳香担持体および水を充填し、マイクロ波発生装置により前記水を加熱することで前記芳香担持体の表面を熱溶融し、前記芳香担持体同士を熱溶着してなることを特徴とするものである。
【考案の効果】
【００１２】
請求項１又は２記載の考案によれば、接着剤等の臭いによって芳香を阻害せずに、製作者の好みに応じた芳香およびデザインを備えた装飾品を製作する装飾品製作玩具を提供することが可能である。
【００１３】
請求項３記載の考案によれば、異なる芳香および色味を製作者が適宜に選択して混合させることで、製作者のより好みに応じた芳香およびデザインを備えた装飾品を製作することが可能である。
【００１４】
請求項４記載の考案によれば、一般家庭に備えられた装置であるマイクロ波発生装置で加熱することで芳香担持体を熱溶着させることができ、容易に装飾品を製作することが可能である。
【００１５】
請求項５記載の考案によれば、芳香担持体の略球形の形状および芳香を保持したまま、製作者のより好みに応じた芳香およびデザインを備えた装飾品を提供することが可能である。
【図面の簡単な説明】
【００１６】
【図１】本考案の実施形態に係る装飾品製作玩具を示す斜視図である。
【図２】図１の製作方法が記載又は図示された説明書の拡大正面図である。
【図３】芳香担持体を型体の充填部に充填した状態を示す概念図である。
【図４】製作方法に従って完成された装飾品を示す斜視図である。
【考案を実施するための形態】
【００１７】
本考案の実施形態について図に基づいて詳細に説明する。
【００１８】
(実施形態)
装飾品製作玩具１は、図１に示すように、熱溶融性樹脂材からなる粒状の芳香担持体２、２と、これら芳香担持体２、２を充填する型体３と、芳香担持体２、２を型体３に充填した後に加熱して熱溶着する製作方法(S1−S3)が記載または図示された説明書５と、熱溶着された芳香担持体２、２に取り付ける係止具４と、がパッケージ６に封入されてなることを特徴とするものである。
【００１９】
芳香担持体２、２は、比較的低温である約８０度程度の熱で溶融する熱溶融性樹脂材であるエチレン−酢酸ビニル共重合樹脂（EVA樹脂）を主体とする素材に芳香を担持させ、概ね４mmの幅からなる略球形の粒状にして形成されるものである。この芳香担持体２、２は粒状態のものを複数個用いる。また、この芳香担持体２、２は、製作者にとって好ましい芳香および色味を帯びていればよく、例えば、花や果物などの芳香や色味を好む場合には、キンモクセイ、ローズ、アップルなどを連想するような甘い芳香および赤の近似色を帯びて形成されることが好ましい。また、芳香及び色味の少なくとも一つ以上の異なる芳香担持体２、２を個別に包装して封入することが好ましい。
【００２０】
型体３は、合成樹脂を主体とする素材を、芳香担持体２、２を充填する凹状の充填部３aと、その充填部３a内に充填された芳香担持体２、２の外形を星型、ハート型等の形状に形成するための枠部３ｂと、からなるものであり、上方が開放されている。また、この合成樹脂は、後述する装飾品７の製作方法において、マイクロ波発生装置（電子レンジ）から発生されたマイクロ波によって変形等をしない耐熱性があればよく、例えば、シリコン樹脂とすることが好ましい。
【００２１】
係止具４は、完成した装飾品７を係止させる箇所に応じて、適宜に選べばよく、例えば、鍵や携帯電話等のストラップとして係止させる場合にはボールチェーンとすることが好ましく、髪留め等にする場合にはヘアピン等にすることが好ましい。
【００２２】
説明書５は、所定のサイズ以下の紙に、後述する装飾品７の製作方法を説明する文章、及び、その文章を表現する図が描かれているものである。また、この説明書５は、パッケージ６の表面側に印刷することで、パッケージ６と一体的に形成してもよい（図示しない）。 
【００２３】
パッケージ６は、上述した芳香担持体２、２と、型体３と、係止具４、説明書５と、をまとめて包装して、展示・販売することができる紙製の箱体からなるものである。また、その箱体の正面側に上記の包装された内容物、及び、装飾品７の製作方法、商品名等が購入者にわかりやすいように記載されていることが好ましい。
【００２４】
次に、図２に示した説明書５に記載された製作方法（S1−S3）からなる装飾品７の製作について詳細に説明する。
【００２５】
（装飾品の製作方法）
(S1)パッケージ６を開封して、複数の粒状態からなる芳香担持体２、２と型体３とを取り出す。その後、２ｇ程度の芳香担持体２、２を型体３の充填部３aに充填する。このとき、芳香および色味の異なる複数の芳香担持体２、２を組み合わせることで、製作者の好みに応じてデザインおよび芳香を備えたものに形成することができる。例えば、異なる色味を配置して三色の縞模様を形成してもよく、異なる芳香の芳香担持体２、２を所望の量毎に混合することで、より好みの芳香を備えるようにしてもよい（図３参照）。
【００２６】
(S2)次に、芳香担持体２、２が充填された充填部３aに水Wを満たす程度まで滴下した後、耐熱皿に載せてマイクロ波発生装置（電子レンジ）内に載置する（型体３が、星型形状の場合は水W：約1.5ｃｃ、芳香担持体２、２：約２ｇ、ハート型の場合は水W：約２cc、芳香担持体２、２：約２ｇ程度が好ましい。）その後、加熱条件を出力５００W、時間１分程度に設定したマイクロ波発生装置（電子レンジ）のマイクロ波によって、充填部３aに満たされた水Wを加熱する。このとき、エチレン−酢酸ビニル共重合樹脂の融点である約８０℃以上に加熱された水Wによって、芳香担持体２、２表面の一部が熱溶融して芳香担持体２、２同士を熱溶着する。この場合において、熱溶着された芳香担持体２、２の外形は、型体３の枠部３ｂの形状に形成される。
【００２７】
(S3)次に、加熱直後の熱溶着された芳香担持体２、２を型体３から取り出し、楊枝等で貫通させて挿通孔７aを形成した後、芳香担持体２、２に水を掛けて冷却し、係止具４を挿通して取付けることで装飾品７を完成させる（図４参照）。
【００２８】
上述した構成により、一般家庭に備えられた装置であるマイクロ波発生装置（電子レンジ）や、水W、楊枝等を利用して比較的低温で加熱することで、接着剤等の臭いによって芳香を阻害せずに、製作者の好みに応じた芳香およびデザインを備えた装飾品７を製作できるとともに、製作工程を経ることで楽しみを得ることができる装飾品製作玩具１を提供することが可能である。また、このとき、異なる芳香担持体２、２を混合させることでより製作者の好みに応じた芳香およびデザインを備えた装飾品７にすることも可能である。
【００２９】
また、装飾品製作玩具１は、上記製作方法によって、芳香担持体２、２の略球形の形状および芳香を保持したまま、製作者のより好みに応じた芳香およびデザインを備えた装飾品７を製作することが可能である。
【符号の説明】
【００３０】
1…装飾品製作玩具、２…芳香担持体、３…型体、3a…充填部、3b…枠部、４…係止具、５…説明書、６…パッケージ、７…装飾品、７a…挿通孔、W…水
【図１】
0003211065.tif 000003
【図２】
0003211065.tif 000004
【図３】
0003211065.tif 000005
【図４】
0003211065.tif 000006